(57)【要約】【課題】  多くの文書ファイルの中から、その中に添付されている画像データの付加情報を用いて、効率よく検索及び表示できるように文書画像ファイルを作成する文書画像結合装置を提供する。【解決手段】  文書画像結合装置では、文書データ１２ｂを有する文書画像ファイル２０内に画像データ１７ｃ，１８ｃを有する画像ファイル（画像データ１７，１８）が貼り付けられるものである。    参照元の画像ファイル（画像データ１７，１８）内に、前記画像データ１７ｃ，１８ｃと、付加情報領域１７ｂ，１８ｂ内の付加データ１，２とが存在する場合に、結合ファイルとして、文書データ１２ｂへ画像データ１７，１８に付随する付加データの付加データリンク２１ｃ，２１ｅが付加情報として結合されて、文書画像ファイル２０が作成される。【選択図】  図４
2005056167.tif 000002
【特許請求の範囲】
【請求項１】
文書データを有する文書ファイル内に画像データを有する画像ファイルを貼り付ける文書画像結合装置であって、
参照元の前記画像ファイル内に、前記画像データと付加データとが存在する場合に、結合ファイルとして、前記文書データへ前記画像データに付随する付加データも付加情報として結合して文書画像ファイルを作成することを特徴とする文書画像結合装置。
【請求項２】
前記文書データと、少なくとも１枚以上の画像データと、該各画像データの付加データとを１つのファイル内に持つことを特徴とする請求項１記載の文書画像結合装置に用いられる文書画像ファイルフォーマット。
【請求項３】
前記文書画像フォーマットのファイルに、前記付加データが、付加されている場合、メモリ内から該付加データを検出して表示可能な表示装置を有する請求項１記載の文書画像結合装置。
【請求項４】
前記表示装置に表示されたファイル内の画像データのうち、何れか１つの画像データを指定することにより、該指定された画像データの付加情報を表示する付加情報表示手段を有することを特徴とする請求項３記載の文書画像結合装置。
【請求項５】
前記画像データの付加情報の全て又は一部を指定する情報指定手段を設け、該情報指定手段によって指定された付加情報を有する前記画像データを含む前記文書画像ファイルから検索する検索手段を設けたことを特徴とする請求項１記載の文書画像結合装置。
【請求項６】
文書画像ファイルの文書データと画像データとが表示される表示装置であって、
前記指定された画像データの付加情報を表示する付加情報表示手段を有することを特徴とする表示装置。
【請求項７】
文書データと、少なくとも１枚以上の画像データと、該各画像データの付加データとを１つのファイル内に持つことを特徴とする文書画像ファイルフォーマット。
【請求項８】
文書画像フォーマットのファイルに、付加データが、付加されている場合、メモリ内から該付加データを検出すると共に、該付加データを表示可能とする表示装置。
【請求項９】
前記表示装置に表示されたファイル内の画像データのうち、何れか１つの画像データを指定することにより、該指定された画像データの付加情報を表示する付加情報表示手段を有することを特徴とする請求項８記載の表示装置。
【請求項１０】
文書データを有する文書ファイル内に画像データを有する画像ファイルが貼り付けられて、前記文書データと前記画像データに付随する付加データも付加情報として結合された結合ファイルからなる文書画像ファイルを検索する検索装置であって、該文書画像ファイルの該画像データの付加情報の全て又は一部を指定する情報指定手段と、該情報指定手段によって指定された付加情報を有する前記画像データを含む該文書画像ファイルを検索する検索手段とを有することを特徴とする検索装置。
【発明の詳細な説明】
【技術分野】
【０００１】
この発明は、文書ファイルに、画像ファイルの画像データを貼り付けて、文章と画像とを同時に、検索及び表示出来る文書画像ファイルを作成する文書画像結合装置に関するものである。
【背景技術】
【０００２】
従来の、多くのファイルから所望のファイルを探すには、ファイル名を用いて検索し、このファイル名から、ファイルの内容を類推して、特定し、表示等を行うようにしている。
【０００３】
また、文書を画像データとして登録し、その文書の画像データの見出し画像と、それに対応した検索情報を登録し、検索を容易にするものも知られている（例えば、特許文献１参照。）。
【特許文献１】特開平８−１２３８１３号公報（段落００１３乃至００４０、図１乃至図８）
【発明の開示】
【発明が解決しようとする課題】
【０００４】
しかしながら、ファイル名で、そのファイルの内容を表現して多くのファイルを管理する場合には、ファイル名の付け方が複雑となり、一定の数量で限界が生じるため実用上用いにくいといった問題があった。
【０００５】
また、文書の画像データの見出し画像を登録するものでは、いちいち見出し画像の登録を行わなければならず、登録操作が煩雑となり、操作性が良好ではなかった。
【０００６】
一方、文書ファイルには、画像が添付されることも多く、かつ、添付された画像は、文書内容に沿って補足するものである。
【０００７】
従って、添付された画像は、文書内容に沿った要約としての役割を果たしている。
【０００８】
そこで、この発明は、多くの文書ファイルの中から、その中に添付されている画像データの付加情報を用いて、効率よく検索及び表示できるように文書画像ファイルを作成する文書画像結合装置を提供することにある。
【課題を解決するための手段】
【０００９】
上記課題を解決するため、請求項１に記載されたものでは、文書データを有する文書ファイル内に画像データを有する画像ファイルを貼り付ける文書画像結合装置であって、参照元の前記画像ファイル内に、前記画像データと付加データとが存在する場合に、結合ファイルとして、前記文書データへ前記画像データに付随する付加データも付加情報として結合して文書画像ファイルを作成する文書画像結合装置を特徴としている。
【発明の効果】
【００１０】
このように構成された請求項１記載のものでは、参照元の前記画像ファイル内に、前記画像データと付加データとが存在する場合には、前記文書データへ前記画像データに付随する付加情報が付加データとして結合された結合ファイルとなるように、文書画像ファイルが作成される。
【００１１】
このため、前記文書画像ファイルの中に添付されている画像データの付加情報を用いて、効率よく検索及び表示を行うことができる。    
【発明を実施するための最良の形態】
【００１２】
図１乃至図１４は、この発明の実施の形態の文書画像結合装置、文書画像ファイルフォーマット、検索装置、及び表示装置を示すものである。
【００１３】
まず、構成から説明すると、この実施の形態の文書画像結合装置１は、図１に示すように、ＣＰＵ（中央演算装置）２と、装置外部からファイルを入力するファイル入力手段としてのフレキシブルディスクドライブ或いはＰＣカードスロット等より構成されるファイル入力装置３と、前記ＣＰＵ２のワークメモリ４とを有している。
【００１４】
このうち、ワークメモリ４は、前記ＣＰＵ２自体のプログラムデータの実行や入力されたファイルに対する処理又は、ＣＲＴディスプレイ装置或いは液晶表示装置等で構成される表示部５への結果表示の際に用いられる表示データの格納にも用いられるように構成されている。
【００１５】
また、この文書画像結合装置１のワークメモリとしては、高速でリード／ライト可能なＳＤＲＡＭ等の揮発性メモリが用いられる。
【００１６】
更に、この文書画像結合装置１には、ハードディスク６が設けられている。
【００１７】
このハードディスク６は、前記ワークメモリ４で実行される前記ＣＰＵ２用プログラムデータや処理されたファイル等を永続的に格納できるように記憶装置として機能する構成としている。
【００１８】
また、この文書画像結合装置１には、操作者が、この文書画像結合装置１にデータ等を入力したり、操作内容を入力する入力手段としてのキーボード７及びマウス８が接続されて設けられている。
【００１９】
そして、図２に示すように、前記ワークメモリ４内には、貼り付け画像バッファを格納して出し入れ可能に構成される貼り付け画像バッファ領域９と、貼り付け情報を格納して出し入れ可能に構成される貼り付け情報バッファ領域１０と、結合情報を格納して出し入れ可能に構成される結合ファイルバッファ領域１１とが設けられている。
【００２０】
このうち、前記貼り付け情報バッファ領域１０には、付加データ１０ａ、貼り付け情報１０ｂ，貼り付け画像データ１０ｃが、出し入れ可能に格納されるように構成されている。
【００２１】
また、図５に示すように、Ａｄｄｒ＋０〜３に「領域ＩＤ」が、Ａｄｄｒ＋４〜７に「領域データ量」が、Ａｄｄｒ＋８〜２７にデータ部分が、更に、Ａｄｄｒ＋２８に次の「領域ＩＤ」が振られる構成とされている。
【００２２】
また、前記文書画像結合装置１では、文書画像ファイルフォーマット２１の文書画像ファイル２０に、付加データが付加されている場合に、前記ワークメモリ４からこの付加データを検出して、前記表示部５に表示するように構成されている。
【００２３】
そして、前記表示部５には、画像データの付加情報の全て又は一部が、キーボード７又はマウス８等の入力手段から入力されて情報指定手段によって指定されることにより、この情報指定手段によって指定された付加情報を有する前記画像データを含む前記文書画像ファイルが、検索手段によって検索されて表示されるように構成されている。
【００２４】
更に、前記画像データの付加情報の全て又は一部が、キーボード７又はマウス８等の入力手段から入力されて情報指定手段によって指定されることにより、検索手段によって、この情報指定手段によって指定された付加情報を有する前記画像データを含む前記文書画像ファイル２０から、容易に目的の画像データを検索することが出来るように構成されている。
【実施例１】
【００２５】
図３，図４を用いて、この実施例１の画像の結合について説明する。
【００２６】
この実施例１の文書画像結合装置１では、図３中（ａ）に示すように、結合前の文書ファイル１２には、文書データ１３ａ，１４ａが設けられた文書表示部１３，１４間に、余白１５，１６が設けられている。
【００２７】
図３中（ｂ）に示すような結合前の画像データ１７，１８を、この余白１５，１６に各々貼り付けて結合させ、図３中（ｃ）に示すように、１つの文書画像ファイル表示１９を表示可能な図４中（ｃ）の文書画像ファイル２０とすることにより、前記ワークメモリ４等に保存するように構成されている。
【００２８】
すなわち、図４中に示すように、結合する前の個々の情報は、別々のファイルとして構成されている。
【００２９】
このうち、図４中（ａ）に示す文書ファイル１２は、ファイルヘッダ領域１２ａ及び文書データ１２ｂとを有していて、結合前文書表示が行われるように構成されている。
【００３０】
また、図４中（ｂ）に示すものは、それぞれ２つの画像ファイル１７，１８であり、各々ファイルヘッダ領域１７ａ，１８ａ、付加情報領域１７ｂ，１８ｂ、画像データ１７ｃ，１８ｃを有していて、結合前画像表示が行われるように構成されている。
【００３１】
このうち、前記付加情報領域１７ｂ，１８ｂに貼り付けられる付加データ１，２としては、前記画像データ１７ｃ，１８ｃの画像に付加される文字情報などであり、付加情報項目毎に区分されている。
【００３２】
例えば、この実施例では、付加情報項目として、画像名、撮影日付けがあるとすると、画像ファイル１７の付加データとして、画像名：山１、撮影日付け：２００３年１月１日という文字情報が格納されている。また、画像ファイル１８の付加データとして、画像名：山２、撮影日付け：２００３年１月２日という文字情報が格納されている。
【００３３】
そして、図１の文書画像結合装置１のＣＰＵ２で、領域毎のデータのリードが可能となるように構成されている。
【００３４】
例えば、図５に示すように、各領域の先頭は、前記Ａｄｄｒ＋０〜３で「領域ＩＤ」の４バイトである。次の４バイトは、それに続くデータ部の「領域データ量」を記憶する領域であり、Ａｄｄｒ＋４〜７に、データ部のデータ数が、記録される。
【００３５】
そして、Ａｄｄｒ＋８〜２７にデータ部分が、記憶される。更に、このデータ部分の先頭のＡｄｄｒ＋８に前記データ数を加算することにより、次の「領域ＩＤ」の先頭のアドレスを知ることが出来る。
【００３６】
更に、この実施例では、検索手段が設けられていて、前記キーボード７又は、マウス８等の操作入力を受け付けて情報指定手段によって指定された付加情報を有する前記画像データ１７を含む文書画像ファイル２０が検索されるように構成されている。
【００３７】
次に、図６に示すメインフローの流れに沿って説明する。
【００３８】
Ｓｔｅｐ１で、結合処理を開始すると、Ｓｔｅｐ２では、前記キーボード７又は、マウス８等の操作入力を受け付けてそれに対応した処理を繰り返すように構成されている。
【００３９】
すなわち、Ｓｔｅｐ２では、操作入力があった場合には、Ｓｔｅｐ３に進み操作入力が解読される。
【００４０】
そして、Ｓｔｅｐ４では、これらの操作入力が処理される。操作入力に対応する操作処理としては、ファイル選択が有る。
【００４１】
図７中、Ｓｔｅｐ５でファイル選択が行われる。ファイル選択は、Ｓｔｅｐ６で、前記ファイル入力装置３や前記ハードディスク６内の文書ファイル又は画像ファイルを処理対象として選択するものである。
【００４２】
選択されたファイルは、前記ワークメモリ４にコピーされて、Ｓｔｅｐ７では、ファイル内のデータ部が、前記表示部５で表示できる文書や画像に変換される。
【００４３】
そして、Ｓｔｅｐ８では、前記表示部５で表示が開始されて、Ｓｔｅｐ９で貼り付け情報が取得されて、Ｓｔｅｐ１０で終了される。
【００４４】
図８中、Ｓｔｅｐ１１では、ファイルの編集が行われる。ファイルの編集は、Ｓｔｅｐ１２に示すように、前記ワークメモリ４内のファイルデータを前記キーボード７又は、マウス８等の操作入力に応じて変更するものである。
【００４５】
例えば、文書ファイル内に新たに、キーボード７等から入力した文字コードを追加したりする。
【００４６】
また、文節間に空白コードを入れて、画像を貼り付けるスペースである図３中（ａ）に示すような余白１５，１６を作ることも出来る。
【００４７】
Ｓｔｅｐ１３では、編集されたファイルデータが、前記表示用処理されて、前記表示部５で表示できる文書や画像に変換されて、表示され、Ｓｔｅｐ１４で終了される。
【００４８】
図９中、Ｓｔｅｐ１５では、貼り付け画像選択が行われる。すなわち、貼り付け画像選択は、Ｓｔｅｐ１６に示すように、前記キーボード７等からの操作入力によって、文書ファイルデータに貼り付ける画像ファイルデータを貼り付け画像バッファに格納し、Ｓｔｅｐ１７で終了するものである。
【００４９】
図１０中、Ｓｔｅｐ１８では、画像貼り付け処理が行われる。この画像貼り付け処理では、前記貼り付け画像バッファ領域９内の画像データを、Ｓｔｅｐ１９で表示合成処理することにより、前記選択された文書ファイル１２のデータ内の指定位置に重ねて表示させるものである。
【００５０】
すなわち、Ｓｔｅｐ２０では、前記キーボード７等からの操作入力によって、前記文書ファイルの選択、また、文書ファイルデータ内の位置情報（座標アドレス）が演算されて、Ｓｔｅｐ２１で、画像の貼り付けられた文書ファイルのデータ内の位置情報（座標アドレス）は演算されて、貼り付け情報バッファ領域１０に、その画像データ及び付加データと共に、コピーされて、これらの画像データ及び付加データと共に、記録されて、Ｓｔｅｐ２２で終了するものである。
【００５１】
例えば、図４中（ａ）では、図３中（ａ）の表示となるように、結合前文書表示された１つの文書ファイル１２が、ファイルヘッダ領域１２ａ及び文書データ１２ｂとを有していて、図４中（ｂ）では、図３中（ｂ）の表示となるように、結合前画像表示された２つの画像ファイル１７，１８と共に、選択されたとする（前記Ｓｔｅｐ５乃至Ｓｔｅｐ１０参照）。
【００５２】
この画像ファイル１７，１８は、各々ファイルヘッダ領域１７ａ，１８ａと、付加情報領域（付加データ１，２）１７ｂ，１８ｂと、画像データ（１，２）１７ｃ，１８ｃとを有している。
【００５３】
そして、図４中（ｃ）では、図３中（ｃ）の表示となるように、前記Ｓｔｅｐ１１乃至Ｓｔｅｐ１７によって、結合後文書画像表示となるように、文書画像ファイル２０を構成する文書画像ファイルフォーマット２１が、結合により構成される。
【００５４】
この文書画像ファイルフォーマット２１は、参照元の前記画像ファイル１７等内に、前記画像データ１７ｃと付加データ１７ｂとが存在する場合に、結合ファイルとして、前記文書データ１２ｂと前記画像データ１７ｃに付随する付加情報も付加データ１７ｂとして結合して文書画像ファイル２０等を作成するものである。
【００５５】
前記文書画像ファイルフォーマット２１は、前記一又は複数の文書データ１２ｂ等と、一又は複数枚の画像データ（１）１７ｃ等と、これらの画像データ１７ｃ等の付加データ（１）１７ｂとを１つの文書画像ファイル２０内に持つように構成されている。
【００５６】
そして、この実施例の前記文書画像ファイルフォーマット２１は、前記文書データ１２ｂと、２枚の画像データ（１，２）１７ｃ，１８ｃと、これらの各画像データ１７ｃ，１８ｃの付加データ（１，２）１７ｂ，１８ｂとを１つの文書画像ファイル２０内に持つように構成されている。
【００５７】
すなわち、この文書画像ファイルフォーマット２１は、ファイルヘッダ領域２１ａに続いて、付加情報領域２１ｂが設けられている。この付加情報領域２１ｂには、前記付加データ（１，２）１７ｂ，１８ｂが格納される。
【００５８】
また、この文書画像ファイルフォーマット２１には、前記付加情報領域２１ｂに続いて付加データ（１）リンク２１ｃ，貼り付け情報（１）２１ｄが格納される領域が設けられていて、画像データ（１）１７ｃを所定の領域に結合するように構成されている。
【００５９】
更に、この文書画像ファイルフォーマット２１には、前記画像データ（１）１７ｃに続いて付加データ(２)リンク２１ｅ，貼り付け情報（２）２１ｆが格納される領域が設けられていて、画像データ（２）１８ｃを所定の領域に結合するように構成されている。
【００６０】
このため、前記Ｓｔｅｐ１１乃至Ｓｔｅｐ２２で結合処理が行われると、前記文書画像ファイルフォーマット２１に準じた文書画像ファイル２０が形成されて、前記表示部５には、図３中（ｃ）に示されるような結合後文書画像表示が表示される。
【００６１】
この実施例では、前記文書表示１３，１４と画像データ１７，１８の表示とが交互となるように、個別に表示される。
【００６２】
次に、図１１を用いて、結合保存処理について説明する。
【００６３】
Ｓｔｅｐ２３で結合保存処理を開始すると、Ｓｔｅｐ２４では、結合バッファ内に文書ファイルヘッダが作成される。
【００６４】
Ｓｔｅｐ２５では、貼り付け情報バッファ内のデータを確認して、有る場合には、Ｓｔｅｐ２６で、必要なサイズの付加情報エリアが確保される。
【００６５】
貼り付け情報バッファ領域１０内のデータが確認されて、無い場合には、Ｓｔｅｐ２７に進み、文書データがセットされる。
【００６６】
また、Ｓｔｅｐ２８では、貼り付け情報バッファ内に未処理画像データが有るか無いかが確認されて、有る場合には、次のＳｔｅｐ２９で、貼り付け画像ごとに貼り付け情報バッファ内の付加情報を付加情報領域に書き込む付加情報セットが行われる。
【００６７】
すなわち、Ｓｔｅｐ３０では、付加データリンク情報がファイルにコピーされて、付加情報リンクがセットされると共に、貼り付け位置データがファイルにコピーされて、貼り付け位置データがセットされ、更に、画像データがファイルにコピーされて、この画像データもセットされる。
【００６８】
この動作を貼り付け情報バッファ領域１０内の全ての貼り付け画像について行い、全ての画像のファイルへの書き込みが終了し、貼り付け情報バッファ内に未処理画像データが、無い場合には、Ｓｔｅｐ２７に進み、文書データがセットされる。
【００６９】
Ｓｔｅｐ３１では、前記ハードディスク６に完成したファイルの書き込みが行われ、Ｓｔｅｐ３２で終了する。
【００７０】
なお、図１２に示すように、前記ワークメモリ４は、付加情報一覧バッファ４ａとしても機能するように構成されている。
【００７１】
そして、図１３に示すように、Ｓｔｅｐ３３で、前記キーボード７等が操作されて、付加情報の取得処理がスタートすると、Ｓｔｅｐ３４では、ハードディスク６内の全てのファイルの付加情報領域をチェックする為、未終了の場合には、Ｓｔｅｐ３５に進み、付加情報領域がチェックされると共に、Ｓｔｅｐ３６では、付加情報がリードされると共に、付加情報一覧に追記される。
【００７２】
Ｓｔｅｐ３４で、前記ハードディスク６内の全てのファイルの付加情報領域がチェックされて終了した場合には、Ｓｔｅｐ３７に進み、付加情報データを付加情報テーブルとして付加情報一覧バッファ表示に格納し、前記表示部５に表示されてＳｔｅｐ３８で終了する。
【００７３】
図１４に示すように、付加情報指定処理が、Ｓｔｅｐ３９で開始されると、Ｓｔｅｐ４０で所望の付加情報が指定されて、Ｓｔｅｐ４１で、前記付加情報テーブルから、指定された付加情報を持つ画像が貼り付けられて結合されている文書画像ファイル２０が検索される。
【００７４】
Ｓｔｅｐ４２では、検索により、指定された付加情報を持つ画像が貼り付けられて結合されている文書画像ファイル２０が、前記表示部５に表示されて、Ｓｔｅｐ４３で終了する。
【００７５】
前記Ｓｔｅｐ３９乃至Ｓｔｅｐ４３で、所望の付加情報の指定方法は、前記表示部５に表示される一覧表示から選択するものであっても、又、前記キーボード７等からテキスト入力されるものであってもよい。
【００７６】
図７中、Ｓｔｅｐ５乃至Ｓｔｅｐ１０で行われる貼り付け情報取得では、選択された文書ファイル内に貼り付けられている画像の付加情報、貼り付け位置、画像データを貼り付け情報バッファに展開する処理が行われる。
【００７７】
前記文書画像ファイル２０を選択し、表示された文書内の画像を指定すると、貼り付け情報バッファ内の各画像の貼り付け位置データが参照されて、どの画像が指定されたかが判定される。
【００７８】
これにより、前記ワークメモリ４内に付加データが付加されている場合、前記ワークメモリ４内から、その付加情報を検出して、その画像の付加情報も、前記表示部５に表示することができる。
【００７９】
上述してきたように、この実施例の文書画像結合装置１では、文書データ１２ｂを有する文書画像ファイル２０内に画像データ１７ｃ，１８ｃを有する画像ファイル（画像データ１７，１８）が貼り付けられるものである。  
【００８０】
参照元の前記画像ファイル（画像データ１７，１８）内に、前記画像データ１７ｃ，１８ｃと、付加情報領域１７ｂ，１８ｂ内の付加データ１，２とが存在する場合に、結合ファイルとして、前記文書データ１２ｂへ、前記画像データ１７，１８に付随する付加データの付加データリンク２１ｃ，２１ｅが、付加情報として結合されて、文書画像ファイル２０が作成される。
【００８１】
このように構成されたこの実施の形態のものでは、参照元の前記画像ファイル（画像データ１７，１８）内に、前記画像データ１７ｃ，１８ｃと共に、付加データとが存在する場合には、前記文書データ１２ｂへ前記画像データ１７ｃ，１８ｃに付随する付加情報が付加情報領域２１ｂに、付加データ（１），（２）として結合されることにより、結合ファイルとして、文書画像ファイル２０が作成される。
【００８２】
この実施例では、付加データ（１）リンク２１ｃ及び付加データ（２）リンク２１ｅも結合されている。
【００８３】
このため、前記文書画像ファイル２０の中に添付されている画像データ１７ｃ，１８ｃ及び付加情報領域２１ｂ内の付加データ（１），（２）、又は、付加データの付加データリンク２１ｃ，２１ｅから呼び出される画像データの付加情報を用いて、効率よく検索及び表示を行うことができる。
【００８４】
また、前記文書画像ファイルフォーマット２１は、前記文書データ１２ｂと、少なくとも１枚以上の画像データ１７ｃ，１８ｃと、これらの各画像データ１７ｃ，１８ｃの付加データとしての付加情報領域２１ｂ内の付加データ１，２、又は、付加データリンク２１ｃ，２１ｅとを１つの文書画像ファイル２０内に持つように構成されている。
【００８５】
このため、画像ファイル１７，１８に付随する付加情報である付加データ（１），（２）、又は、付加データリンク２１ｃ，２１ｅが自動で、貼り付け先の文書ファイル１２へコピーされる。
【００８６】
そして、前記文書画像フォーマット２１の文書画像ファイル２０に、前記付加データ（１），（２）が、単体で或いは、付加データリンク２１ｃ，２１ｅと共に付加されている場合、前記ワークメモリ４内からこれらの付加データ（１），（２）が検出されて、前記表示部５に表示される。
【００８７】
このため、各種付加情報を一覧表示させて所望の付加情報を有する画像を含む文書画像ファイルを容易に検索出来る。
【００８８】
また、付加情報表示手段を設け、前記表示部５に表示されたファイル内の画像データのうち、何れか１つの画像データを指定することにより、指定された画像データの付加情報が表示される。このように指定された画像データ１７，１８の付加情報が表示されるように構成されているので、文書画像ファイル２０の画像の補足説明等を見ることができる。
【００８９】
例えば、この実施例では、山の画像データ１７，１８が表示されている際に、画像名：山１、撮影日付け：２００３年１月１日という文字情報及び、画像名：山２、撮影日付け：２００３年１月２日という文字情報を表示させて補足説明とすることができる。
【００９０】
しかも、前記画像データ１７，１８の付加情報の全て又は一部が、キーボード７又はマウス８等の入力手段から入力されて情報指定手段によって指定されるので、この情報指定手段によって指定された付加情報を有する前記画像データ１７，１８を含む前記文書画像ファイル２０から、検索手段によって、容易に目的の画像データ１７又は１８を検索することが出来る。
【００９１】
例えば、前記表示部５に、文書画像ファイル２０の文書データ１３ａ，１４ａと画像データ１７，１８とが、交互に表示されて、結合後の文書画像ファイル表示１９が行われる。  この結合後の文書画像ファイル表示１９では、画面上に表示された画像データ１７，１８の表示領域（矩形範囲内）を前記キーボード７又はマウス８等の入力手段によって、指定することにより、図２に示す貼り付け情報バッファ領域１０内の各画像データ１７，１８の貼り付け位置データを参照して、どの画像データ１７，１８が指定されたかを判定し、その画像データ１７，１８の前記付加情報及び、前記付加データ（１，２）リンク２１ｃ，２１ｅにより関連づけられている更に詳しい付加情報が表示される。
【００９２】
以上、図面を参照して、本発明を実施するための最良の形態及び実施例を詳述してきたが、具体的な構成は、この実施例に限らず、本発明の要旨を逸脱しない程度の設計的変更は、本発明に含まれる。
【００９３】
例えば、前記実施例では、前記文書画像ファイルフォーマット２１を前記文書画像結合装置１で用いた場合を中心として説明してきたが、特にこれに限らず、どのような装置、例えば、デジタルスチルカメラ、デジタルビデオカメラ、電磁ファイリング装置等及びこれらに類する表示装置に用いても良く、また、記録媒体としては、不揮発性メモリカードを含む各種メモリカード、ＦＤ、ＭＤ等の光磁気ディスク、ＣＤ、ＤＶＤ等の光ディスク、或いは磁気テープ、ＲＯＭ等、どのようなものに記録されていてもよい。
【００９４】
また、このような少なくとも１枚以上の画像データと、各画像データの付加データとを１つのファイル内に持つ文書画像ファイルフォーマット２１の文書画像ファイル２０に、付加データが、付加されている場合、ワークメモリ４内から付加データを検出して、これらの付加データを表示可能とするものであるならば、前記文書画像結合装置１に限らず、表示機能のみを有する表示装置を用いてもよい。
【００９５】
更に、このような表示装置に、前記表示部５に表示された文書画像ファイル２０内の画像データ１７，１８のうち、何れか１つの画像データを指定することにより、指定された画像データ１７，１８の付加情報を表示する付加情報表示手段を設けてもよい。
【００９６】
また、前記文書画像結合装置１に限らず、文書画像ファイル２０を検索する検索手段を有する検索装置によって構成されていてもよい。
【００９７】
このような検索装置では、前記実施例と略同様に、文書データ１３ｄ等を有する文書ファイル内に画像データ１７等を有する画像ファイルが貼り付けられて、前記文書データ１３ｄと前記画像データ１７に付随する付加データ（１）等も付加情報として結合された結合ファイルとしての文書画像ファイル２０をワークメモリ４内に有し、この文書画像ファイル２０の画像データ１７の付加情報の全て又は一部を情報指定手段によって指定可能に構成される。
【００９８】
そして、前記実施例と略同様に、検索手段を設け、この情報指定手段によって指定された付加情報を有する前記画像データ１７を含む文書画像ファイル２０が検索されるように構成すれば、所望の付加データ（１）（付加情報）を有する文書画像ファイル２０を容易に検索出来る。
【図面の簡単な説明】
【００９９】
【図１】この発明の実施例の文書画像結合装置で、構成を説明するブロック図である。
【図２】実施例の文書画像結合装置で、ワークメモリ内の領域を説明するブロック図である。
【図３】実施例の文書画像結合装置で、（ａ）は、結合前文書表示を行う文書ファイルの模式図、（ｂ）は、結合前画像表示を行う画像データの模式図、（ｃ）は、結合後文書画像表示を行う文書画像ファイルの模式図である。
【図４】実施例の文書画像結合装置で、（ａ）は、結合前文書表示を行う文書ファイルのデータの模式図、（ｂ）は、結合前画像表示を行う２つの画像データの模式図、（ｃ）は、結合後文書画像表示を行う文書画像ファイルのデータの模式図である。
【図５】実施例の文書画像結合装置で、アドレス空間を説明する模式図である。
【図６】実施例の文書画像結合装置で、メインルーチンを説明するフローチャートである。
【図７】実施例の文書画像結合装置で、表示処理を説明するフローチャートである。
【図８】実施例の文書画像結合装置で、ファイル編集処理を説明するフローチャートである。
【図９】実施例の文書画像結合装置で、貼り付け画像選択処理を説明するフローチャートである。
【図１０】実施例の文書画像結合装置で、画像貼り付け処理を説明するフローチャートである。
【図１１】実施例の文書画像結合装置で、結合保存処理を説明するフローチャートである。
【図１２】実施例の文書画像結合装置で、ワークメモリを説明するブロック図である。
【図１３】実施例の文書画像結合装置で、付加情報取得処理を説明するフローチャートである。
【図１４】実施例の文書画像結合装置で、付加情報の検索及び表示処理を説明するフローチャートである。
【符号の説明】
【０１００】
１２                文書ファイル
１３，１４          文書表示部
１３ａ，１４ａ      文書データ
１７，１８          画像データ
１９                文書画像ファイル表示
２０                文書画像ファイル
２１                文書画像ファイルフォーマット
２１ｂ              付加情報領域
【図１】
2005056167.tif 000003
【図２】
2005056167.tif 000004
【図３】
2005056167.tif 000005
【図４】
2005056167.tif 000006
【図５】
2005056167.tif 000007
【図６】
2005056167.tif 000008
【図７】
2005056167.tif 000009
【図８】
2005056167.tif 000010
【図９】
2005056167.tif 000011
【図１０】
2005056167.tif 000012
【図１１】
2005056167.tif 000013
【図１２】
2005056167.tif 000014
【図１３】
2005056167.tif 000015
【図１４】
2005056167.tif 000016